(57)【要約】 【課題】サービス提供者とサービス享受者が共に移動する形態においてサービス享受者が最寄りのサービス提供者が提供するサービスを検索できるようにする。【解決手段】実施形態のサーバコンピュータは、移動端末と通信する無線基地局と通信網を介して接続され、サービス提供者からのサービスの情報を、通信網を通じてサービス享受者に提供する。サーバコンピュータは、取得部、データベース、制御部、Ｗｅｂサーバを備える。制御部は取得部で取得された情報にサービス提供者の移動端末の識別情報が含まれている場合、無線基地局から取得した移動情報を基にデータベースに登録されている移動端末の識別情報に対応する無線基地局の識別情報を随時更新する。【選択図】図１
2016220089.tif 000002
【特許請求の範囲】
【請求項１】
サービス提供者からのサービスの情報を、前記通信網を通じてサービス享受者に提供するサーバコンピュータと、このサーバコンピュータと前記通信網を介して接続された無線基地局と、この無線基地局と通信する移動端末とを備える移動型サービス提供システムにおいて、
前記無線基地局は、
通信エリアに進入した移動端末と通信して得られた前記移動端末の識別情報と自局の識別情報とを前記通信網を介して前記サーバコンピュータに送る通信部を備え、
前記サーバコンピュータは、
前記サービス提供者の移動端末の識別情報と、前記サービス提供者が提供するサービスの情報と、前記サービス提供者の移動端末と通信している無線基地局の識別情報を含む移動情報とを対応付けて登録するデータベースと、
前記データベースを参照し前記無線基地局から取得した情報にサービス提供者の移動端末の識別情報が含まれている場合、前記無線基地局から取得した移動情報を基に前記データベースに登録されている前記移動端末の識別情報に対応する前記無線基地局の識別情報を随時更新する制御部と、
前記サービス享受者の移動端末からのサービス検索要求に対して、前記サービス享受者の移動端末と通信中の無線基地局と同じ通信エリアに移動端末が存在する前記サービス提供者のサービスの情報を前記データベースから抽出し検索結果として要求元の前記サービス享受者の前記移動端末へ返すＷｅｂサーバと
を備える移動型サービス提供システム。
【請求項２】
前記制御部は、
前記移動情報に含まれる前記移動端末の絶対位置を前記サービス提供者の移動端末の識別情報と対応付けて前記データベースに登録する請求項１に記載の移動型サービス提供システム。
【請求項３】
前記データベースには、前記サービスの情報に対応付けて前記サービスが提供中か否かを示す状況情報が登録されており、
前記Ｗｅｂサーバは、
前記状況情報を基に提供中のサービスの情報を前記データベースから抽出する請求項１または請求項２のいずかれに記載の移動型サービス提供システム。
【請求項４】
前記通信エリアがPersonal Handy-phone Systemの無線エリアである請求項１乃至請求項３のいずかれ１項に記載の移動型サービス提供システム。
【請求項５】
サービス提供者からのサービスの情報を、移動端末と通信する通信網を通じてサービス享受者に提供するサーバコンピュータにおいて、
前記移動端末の識別情報と前記無線基地局の識別情報とを前記通信網を通じて取得する取得部と、
前記サービス提供者の移動端末の識別情報と、前記サービス提供者が提供するサービスの情報と、前記サービス提供者の移動端末と通信している無線基地局の識別情報を含む移動情報とを対応付けて登録するデータベースと、
前記取得部で取得された情報にサービス提供者の移動端末の識別情報が含まれている場合、前記無線基地局から取得した移動情報を基に前記データベースに登録されている前記移動端末の識別情報に対応する前記無線基地局の識別情報を随時更新する制御部と、
前記サービス享受者の移動端末からのサービス検索要求に対して、前記サービス享受者の移動端末と通信中の無線基地局と同じ通信エリアに移動端末が存在する前記サービス提供者のサービスの情報を前記データベースから抽出し検索結果として要求元の前記サービス享受者の前記移動端末へ返すＷｅｂサーバと
を具備するサーバコンピュータ。
【請求項６】
前記制御部は、
前記移動情報に含まれる前記移動端末の絶対位置を前記サービス提供者の移動端末の識別情報と対応付けて前記データベースに登録する請求項５に記載のサーバコンピュータ。
【請求項７】
前記データベースには、前記サービスの情報に対応付けて前記サービスが提供中か否かを示す状況情報が登録されており、
前記Ｗｅｂサーバは、
前記状況情報を基に提供中のサービスの情報を前記データベースから抽出する請求項５または請求項６のいずかれに記載のサーバコンピュータ。
【請求項８】
前記通信エリアがPersonal Handy-phone Systemの無線エリアである請求項５乃至請求項７のいずかれ１項に記載のサーバコンピュータ。
【請求項９】
サービス提供者からのサービスの情報を、通信網を通じてサービス享受者に提供するサーバコンピュータと、このサーバコンピュータと前記通信網を介して接続された無線基地局と、この無線基地局と通信する移動端末とを備える移動型サービス提供システムにおける移動型サービス提供方法であって、
前記無線基地局は、
通信エリアに進入した移動端末と通信して得られた前記移動端末の識別情報と自局の識別情報とを前記通信網を介して前記サーバコンピュータに送り、
前記サーバコンピュータは、
前記サービス提供者が提供するサービスの情報と、前記無線基地局から受信された前記移動端末から抽出した前記サービス提供者の移動端末の識別情報と、前記サービス提供者の移動端末と通信している通信エリアの無線基地局の識別情報を含む移動情報とを対応付けてデータベースに登録し、
前記データベースを参照し前記無線基地局から取得した情報にサービス提供者の移動端末の識別情報が含まれている場合、前記無線基地局から取得した移動情報を基に前記データベースに登録されている前記移動端末の識別情報に対応する前記無線基地局の識別情報を随時更新し、
前記サービス享受者の移動端末からのサービス検索要求に対して、前記サービス享受者の移動端末と通信中の無線基地局と同じ通信エリアに移動端末が存在する前記サービス提供者のサービスの情報を前記データベースから抽出し検索結果として要求元の前記サービス享受者の前記移動端末へ返す移動型サービス提供方法。
【請求項１０】
前記移動情報に含まれる前記移動端末の絶対位置を前記サービス提供者の移動端末の識別情報と対応付けて前記データベースに登録する請求項９に記載の移動型サービス提供方法。
【請求項１１】
前記データベースには、前記サービスの情報に対応付けて前記サービスが提供中か否かを示す状況情報が登録されており、
前記サービス検索要求に対して、前記状況情報を基に提供中のサービスの情報を前記データベースから抽出する請求項９または請求項１０のいずかれに記載の移動型サービス提供方法。
【請求項１２】
前記通信エリアがPersonal Handy-phone Systemの無線エリアである請求項９乃至請求項１１のいずかれ１項に記載の移動型サービス提供方法。
【発明の詳細な説明】
【技術分野】
【０００１】
本発明の実施形態は、サーバコンピュータ、移動型サービス提供システムおよび移動型サービス提供方法に関する。
【背景技術】
【０００２】
近年、携帯、ＰＨＳインフラが進展する中、益々次世代の携帯、ＰＨＳ分野における技術開発が注目されている。
【０００３】
また、例えばスマートホンなどのような位置検出機能付きの携帯端末の普及に従い、位置情報を用いたさまざまなサービスが提供されている。その一つに、例えば移動先において、スマートホンにより自分の位置を認識し、サービス提供者の情報、例えば近くのレストランなどを検索することにより、実際に足を使ってレストランを探さなくとも、近くのレストランの情報を閲覧してレストランを利用することができるようになってきている。
【先行技術文献】
【特許文献】
【０００４】
【特許文献１】特開２００２−２３６８１２号公報
【特許文献２】特開２００８−２６３３２６号公報
【特許文献３】特開２００５−１９７８１２号公報
【発明の概要】
【発明が解決しようとする課題】
【０００５】
従来の技術では、サービス提供者とサービスを受ける側（サービス享受者）のうち一方の所在位置が固定しているか、または双方が移動対象であるものの仲介人を介在させてはじめてサービスを実現できる形態のため、サービス享受者とサービス提供者が共に移動するケース、例えば移動販売などではサービス享受者の携帯端末から最寄りのサービス提供者のサービスを検索することができない。
【０００６】
本発明が解決しようとする課題は、サービス提供者とサービス享受者が共に移動する形態においてサービス享受者が最寄りのサービス提供者が提供するサービスを検索することができるサーバコンピュータ、移動型サービス提供システムおよび移動型サービス提供方法を提供することにある。
【課題を解決するための手段】
【０００７】
実施形態のサーバコンピュータは、サービス提供者からのサービスの情報を、移動端末と通信する通信網を通じてサービス享受者に提供するサーバコンピュータにおいて、取得部、データベース、制御部、Ｗｅｂサーバを備える。取得部は通信した移動端末の識別情報と無線基地局の識別情報とを前記通信網を通じて取得する。データベースにはサービス提供者の移動端末の識別情報と、サービス提供者が提供するサービスの情報と、サービス提供者の移動端末と通信している無線基地局の識別情報を含む移動情報とを対応付けて登録される。制御部は取得部で取得された情報にサービス提供者の移動端末の識別情報が含まれている場合、無線基地局から取得した移動情報を基にデータベースに登録されている移動端末の識別情報に対応する無線基地局の識別情報を随時更新する。Ｗｅｂサーバはサービス享受者の移動端末からのサービス検索要求に対して、サービス享受者の移動端末と通信中の無線基地局と同じ通信エリアに移動端末が存在するサービス提供者のサービスの情報をデータベースから抽出し検索結果として要求元のサービス享受者の移動端末へ返す。
【図面の簡単な説明】
【０００８】
【図１】第１実施形態の移動型サービス提供システムの概要構成を示す図である。
【図２】移動型サービス提供システムのＰＨＳサービスサーバの構成を示す図である。
【図３】第１実施形態における管理ＤＢの登録内容の一例を示す図である。
【図４】第１実施形態の移動型サービス提供システムの動作を説明するための図である。
【図５】第１実施形態の移動型サービス提供システムの動作を示すフローチャートである。
【図６】第１実施形態の移動型サービス提供システムの動作を説明するための図である。
【図７】第１実施形態の移動型サービス提供システムにおける検索例を示す図である。
【図８】第２実施形態の移動型サービス提供システムの概要構成を示す図である。
【図９】第２実施形態における管理ＤＢの登録内容の一例を示す図である。
【図１０】第２実施形態の移動型サービス提供システムにおける検索例を示す図である。
【図１１】第２実施形態の移動型サービス提供システムにおける他の検索例を示す図である。
【発明を実施するための形態】
【０００９】
以下、図面を参照して、実施形態を詳細に説明する。
【００１０】
（第１実施形態）  
図１は第１実施形態の移動型サービス提供システムを示す図である。  
図１に示すように、第１実施形態の移動型サービス提供システムは、サービス提供者からのサービスの情報を、通信網としてのＰＨＳ（Personal Handy-phone System）網５を通じてサービス享受者に提供するサーバコンピュータとしてのＰＨＳサービスサーバ１と、このＰＨＳサービスサーバ１とＰＨＳ網５を介して接続された無線基地局としてのＰＨＳ基地局２１〜２３（以下「ＢＳ１ ２１、ＢＳ２ ２２、ＢＳ３ ２３と称す）と、移動端末としてのＰＨＳ端末１１〜１３（以下「ＰＳ１ １１、ＰＳ２ １２、ＰＳ３ １３」と称す）とを備える。
【００１１】
各ＰＨＳ基地局（ＢＳ１ ２１、ＢＳ２ ２２、ＢＳ３ ２３）は、所定の通信エリア２１ａ，２２ａ，２３ａ（以下「無線エリア２１ａ，２２ａ，２３ａ」と称す）、例えば半径５００ｍ程度のエリアをカバーするＰＨＳ用（移動通信用）の電波を発信し、それぞれの無線エリアに進入したＰＳ１ １１、ＰＳ２ １２、ＰＳ３ １３と通信して得られた各ＰＳ１ １１、ＰＳ２ １２、ＰＳ３ １３の識別情報（以下「端末ＩＤ」と称す）と自局の識別情報（以下「基地局ＩＤ」と称す）とをＰＨＳ網５を介してＰＨＳサービスサーバ１に送る通信部（通信機能）を備える。
【００１２】
ＰＨＳサービスサーバ１は、各無線エリア２１ａ，２２ａ，２３ａに進入したＰＳ１ １１、ＰＳ２ １２、ＰＳ３ １３と通信するＢＳ１ ２１、ＢＳ２ ２２、ＢＳ３ ２３とＰＨＳ網５を介して接続されており、サービス提供者からのサービスの情報を、ＰＨＳ網５を通じてサービス享受者に提供する。
【００１３】
図２に示すように、ＰＨＳサービスサーバ１は、取得部５４、データベースとしてのサービス管理データベース５６（以下「管理ＤＢ５６」と称す）、制御部５７、Ｗｅｂサーバ部５８を有する。
【００１４】
取得部５４は通信したＰＳ１ １１、ＰＳ２ １２、ＰＳ３ １３の端末ＩＤと、ＢＳ１ ２１、ＢＳ２ ２２、ＢＳ３ ２３の基地局ＩＤとを含む移動情報を、ＰＨＳ網５を通じて取得する。
【００１５】
図３に示すように、管理ＤＢ５６には、サービス提供者のＰＳ２ １２の端末ＩＤ（例えば「Ａ」）と、サービス提供者が提供するサービスの情報（例えば軽食、ホットドッグ、ジュースなど）と、サービス提供者のＰＳ２ １２と通信している通信エリアのＰＨＳ基地局の基地局ＩＤ（例えばＢＳ１など）を含む移動情報と、サービスの情報に対応付けてサービスが提供中か否かを示す状況情報（例えばサービス提供中であれば「提供中」など）が対応付けて登録されている。状況情報としては、「提供中」や「停止中」の他、例えば時刻や時間帯を設定してもよく、この例だけに限定されるものではない。
【００１６】
この管理ＤＢ５６には、サービス提供者のＰＳ２ １２からアクセスして登録内容の修正が可能であり、自身が登録したサービスの情報に対してサービス提供中か停止中かの旨の設定（例えば「提供中」または「停止中」）を行うことができる。これにより、サービス提供不可能な状況に不要な情報を開示されることを避けることができる。
【００１７】
制御部５７は管理ＤＢ５６を参照しＢＳ１ ２１、ＢＳ２ ２２、ＢＳ３ ２３から取得された情報のうち例えばＢＳ１ ２１の情報にサービス提供者のＰＳ２ １２の端末ＩＤが含まれている場合、ＢＳ１ ２１から取得したＰＳ２ １２の移動情報を基に管理ＤＢ５６に登録されているＰＳ２ １２の端末ＩＤに対応する基地局ＩＤの欄をＢＳ１ ２１の基地局ＩＤへ変更、つまりＰＨＳ端末とＰＨＳ基地局との対応関係を随時（リアルタイムに）更新する。
【００１８】
Ｗｅｂサーバ部５８はＷｅｂコンテンツを提供する情報サイトをＰＨＳ網５上に公開する。情報サイトでは、サービス提供者のサービスの情報をさまざまな検索サービスで検索可能なＷｅｂ情報として提供する。
【００１９】
Ｗｅｂサーバ部５８は情報サイトにアクセスしてきたサービス享受者のＰＨＳ端末、例えばＰＳ１ １１からのサービス検索要求に対して、ＰＳ１ １１と通信中のＰＨＳ基地局（ＢＳ１ ２１）と同じ通信エリアにＰＨＳ端末（ＰＳ２ １２）が存在するサービス提供者のサービスの情報を管理ＤＢ５６から抽出し検索結果として要求元のＰＳ１ １１へ返す。サービス検索要求は、例えばキーワード（単語）による要求でも文章（文字列）や音声による要求でもよい。
【００２０】
続いて、図４および図５を参照してこの第１実施形態の移動型サービス提供システムの動作を説明する。  
サービス提供者は例えば車両で軽食、ホットドッグ、ジュースなどを移動販売するものとする。この場合、サービス提供者のＰＳ２ １２からＰＨＳサービスサーバ１にアクセスすると、ＰＨＳサービスサーバ１では、ＰＳ２ １２の端末ＩＤが管理ＤＢ５６に登録されていることからサービス提供者と判定して、管理ＤＢ５６へのアクセスを許可する。
【００２１】
これによりサービス提供者はＰＳ２ １２の画面からサービスの情報を管理ＤＢ５６へ登録する（ステップＳ１０１）。
【００２２】
この際、ＰＳ２ １２が例えばＢＳ２ ２２の無線エリア２２ａに存在した場合、管理ＤＢ５６には、ＰＳ２ １２の端末ＩＤ「Ａ」に対して、ＢＳ２ ２２の基地局ＩＤ「ＢＳ２」が登録される。
【００２３】
その後、サービス提供者が移動して、ＢＳ１ ２１の無線エリア２１ａに入り、サービス提供者のＰＳ２ １２がＢＳ１ ２１と通信すると（ステップＳ１０２）、ＢＳ１ ２１からＰＳ２ １２の移動情報がＰＨＳサービスサーバ１の取得部５４により取得され、制御部５７に渡される。
【００２４】
制御部５７は、ＢＳ１ ２１と通信したＰＳ２ １２の移動情報から端末ＩＤを抽出し、抽出した端末ＩＤが管理ＤＢ５６に既に登録されている端末ＩＤ「Ａ」であれば（ステップＳ１０３のＹｅｓ）、管理ＤＢ５６のＰＳ２ １２の端末ＩＤ「Ａ」に対応する基地局ＩＤの欄に、移動情報に含まれるＢＳ１ ２１の基地局ＩＤ「ＢＳ１」が登録され、管理ＤＢ５６の内容が更新される（ステップＳ１０４）。
【００２５】
ここで、ＢＳ１ ２１の無線エリア２１ａ内に存在するサービス享受者のＰＳ１ １１からＰＨＳサービスサーバ１の情報サイトにアクセスがあり、近隣のサービスの検索要求が行われると（ステップＳ１０５のＹｅｓ）、Ｗｅｂサーバ部５８はサービス享受者のＰＳ１ １１からのサービス検索要求に対して、ＰＳ１ １１と通信中のＢＳ１ ２１と同じ通信エリア２１ａに、ＰＳ２ １２が存在し現在サービス提供中のサービス提供者のサービスの情報を管理ＤＢ５６から抽出し検索結果としてＰＳ１ １１へ返す（ステップＳ１０６）。
【００２６】
ここで、具体的な検索例を説明する。  
サービス享受者のＰＳ１ １１から例えば“軽食、ホットドッグ、ジュース”のうち少なくとも一つのキーワードで検索をかけると、ＰＨＳサービスサーバ１で検索した結果が図７に示すように、端末ＩＤ「Ａ」、基地局ＩＤ「ＢＳ１」、状況「提供中」がＰＳ１ １１の画面に表示される。
【００２７】
これにより、サービス提供者が「提供中」のサービスである「軽食、ホットドック、ジュース」が同じＢＳ１の通信エリア内、つまり近隣に端末ＩＤ「Ａ」が提供していることがサービス享受者に分かるようになる。
【００２８】
なお、この例では、検索結果の一例としてサービス提供者の端末ＩＤそのものを返すものとしたが、管理ＤＢ５５６に端末ＩＤとサービス提供者の移動店舗名を対応付けておくことで、移動店舗名をＰＳ１ １１に返し表示するようにしてもよい。
【００２９】
また、ＢＳ３ ２３の無線エリア２３ａに存在するＰＳ３ １３から同様の検索要求があった場合は、サービス提供者のＰＳ２ １２が存在しないため、ＰＳ３ １３にはサービス提供者のサービスの情報は提供されない。
【００３０】
このようにこの第１実施形態の移動型サービス提供システムによれば、サービス提供者のＰＨＳ端末（ＰＳ２ １２）の端末ＩＤ「Ａ」と無線基地局の基地局ＩＤ「ＢＳ１」と、サービス提供状況との対応付けを管理ＤＢ５６でリアルタイムに更新し、サービス享受者からの検索要求で、サービス享受者のＰＨＳ端末（ＰＳ１ １１）と同じ無線基地局（ＢＳ１ ２１）と通信中でかつサービス提供中のサービス提供者のサービスの情報を抽出し、検索要求元へ返すので、サービス享受者とサービス提供者とが近づいたときにサービス享受者は近くにきたサービスの情報を得ることができ、またサービス提供者は停止中のサービスの情報をサービス享受者へ伝わらなくでき、双方にとって有益なサービスの形態を実現することができる。
【００３１】
（第２実施形態）  
次に図８乃至図１１を参照して第２実施形態を説明する。図８は第２実施形態の移動型サービス提供システムを示す図である。なお図８以降を参照して第２実施形態を説明するにあたり第１実施形態と同じ構成には同一の符号を付しその説明は省略する。  
図８に示すように、第２実施形態の移動型サービス提供システムは、ＧＰＳ（Global Positioning System）衛星３１０を有する。
【００３２】
ＰＨＳ端末（ＰＳ１ １１、ＰＳ２ １２、ＰＳ３ １３）は、ＧＰＳ衛星３１０からの電波を受信する機能を持つものとする。
【００３３】
各ＰＨＳ端末（ＰＳ１ １１、ＰＳ２ １２、ＰＳ３ １３）は、ＧＰＳ３１０から電波を受けて自身の絶対位置（地球上の緯度、経度）を特定し、特定した絶対位置を移動情報の一つとして、通信中のＰＨＳ基地局（ＢＳ１ ２１〜ＢＳ３ ２３のいずれか）を通じてＰＨＳサービスサーバ１へ送る。
【００３４】
図９に示すように、ＰＨＳサービスサーバ１の管理ＤＢ５６には、サービス提供者のＰＳ２ １２の端末ＩＤに対して、基地局ＩＤとサービスの情報とその状況情報の他に、移動情報の一つとして端末の絶対位置（ＧＰＳ緯度、経度）を対応付けて登録される。
【００３５】
ＰＨＳサービスサーバ１では、制御部５７が、ＰＨＳ基地局（ＢＳ１ ２１〜ＢＳ３ ２３のいずれか）から受信された移動情報に含まれる端末ＩＤおよび基地局ＩＤの他に各ＰＨＳ端末（ＰＳ１ １１、ＰＳ２ １２、ＰＳ３ １３）の絶対位置（ＧＰＳ緯度、経度）を移動情報として管理ＤＢ５６に登録する。
【００３６】
ＰＨＳ基地局（ＢＳ１ ２１〜ＢＳ３ ２３）の無線エリア２１ａ〜２３ａが比較的広く、隣接する無線エリア２１ａ〜２３ａと重なっているような場合、その重なっているエリアではＰＨＳ端末（ＰＳ１ １１、ＰＳ２ １２、ＰＳ３ １３）がどちらのエリアのＰＨＳ基地局と通信するかハンドオーバーのタイミングなどでずれることがあり、エリア属性が不確かになるが、ＰＨＳサービスサーバ１の管理ＤＢ５６において各ＰＨＳ端末（ＰＳ１ １１、ＰＳ２ １２、ＰＳ３ １３）の位置を絶対位置で管理することにより、ＰＨＳ基地局（ＢＳ１ ２１〜ＢＳ３ ２３のいずれか）の無線エリアよりもさらに細かい範囲でＰＳ１ １１、ＰＳ２ １２、ＰＳ３ １３の位置をリアルタイムに把握することができ、より正確な情報をサービス享受者に提供することができる。
【００３７】
また、移動するサービス提供者が使用するＰＳ２ １２の位置はＰＨＳサービスサーバ１の管理ＤＢ５６にリアルタイムに反映されるので、サービス享受者が使用するＰＳ１ １１から検索要求を行うことにより、サービス提供者の絶対位置を含めたサービスの情報を提供することができる。例えば現在のサービス享受者の位置からサービス提供者の位置までの経路を案内、つまりナビゲーションすることも可能である。
【００３８】
ここで、検索結果の例を説明する。  
図１０に示す検索結果の例は、サービス享受者がＢＳ１ ２１の無線エリア２１ａ内に存在する場合に「すべてのサービス」というキーワードで検索した結果であり、自分の現在の位置に近い範囲に３つのサービス（“軽食、ホットドッグ、ジュース”、“イベント紹介、コンサート２”、“医者、外科、急患”）が存在することをサービス享受者が知ることができる。
【００３９】
また、図１１に示す検索結果の例は、サービス享受者が出先で例えばけがなどをしてしまい、ＢＳ１ ２１の無線エリア２１ａ内で、“医者、外科、急患”の少なくとも一つのキーワードで検索した結果であり、自分の現在の位置に近い範囲（位置または場所）に“医者、外科、急患”のサービスが端末ＩＤ（サービス提供者）「Ｇ」により提供されていることをサービス享受者が知ることができる。
【００４０】
同様に、サービス享受者が、例えば“警官”というサービスをキーワードで検索すると、近い距離に巡回中の警官（サービス提供者）を探すことも可能となる。
【００４１】
このようにこの第２実施形態によれば、サービス提供者のＰＨＳ端末（ＰＳ２ １２）にＧＰＳ衛星３１０からのＧＰＳ信号を受信する機能が備えられている場合、ＰＨＳ端末（ＰＳ２ １２）単体で現在の絶対位置を計測してＰＨＳサービスサーバ１へアップロードすることで、管理ＤＢ５６のＰＳ２ １２の端末ＩＤに対してＰＨＳ端末（ＰＳ２ １２）の絶対位置（ＧＰＳ緯度、経度）と通信した無線基地局の基地局ＩＤとが常に更新され、更新された情報が検索対象となるので、無線基地局の無線エリアが重複した場所であっても、サービス享受者からより近いサービス提供者のサービスの情報を提供することができる。
【００４２】
上述した複数の実施形態によれば、サービス提供者とサービス享受者が共に移動する形態においてサービス享受者が最寄りのサービス提供者が提供するサービスを検索することができる移動型サービス提供システムおよびサービス提供方法を実現することができる。
【００４３】
本発明の実施形態を説明したが、この実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００４４】
また上記実施形態に示した各構成要素を、コンピュータのハードディスク装置などのストレージにインストールしたプログラムで実現してもよく、また上記プログラムを、コンピュータ読取可能な電子媒体：electronic mediaに記憶しておき、プログラムを電子媒体からコンピュータに読み取らせることで本発明の機能をコンピュータが実現するようにしてもよい。電子媒体としては、例えばＣＤ−ＲＯＭ等の記録媒体やフラッシュメモリ、リムーバブルメディア：Removable media等が含まれる。さらに、ネットワークを介して接続した異なるコンピュータに構成要素を分散して記憶し、各構成要素を機能させたコンピュータ間で通信することで実現してもよい。
【符号の説明】
【００４５】
１１‐１３…ＰＨＳ端末（ＰＳ１〜ＰＳ３）、２１‐２３…ＰＨＳ基地局（ＢＳ１〜ＢＳ３）、２１ａ‐２３ａ…無線エリア、１…ＰＨＳサービスサーバ、５…ＰＨＳ網、５４…取得部、５６…サービス管理データベース（管理ＤＢ）、５７…制御部、５８…Ｗｅｂサーバ部、３１０…ＧＰＳ衛星。
【図１】
2016220089.tif 000003
【図２】
2016220089.tif 000004
【図３】
2016220089.tif 000005
【図４】
2016220089.tif 000006
【図５】
2016220089.tif 000007
【図６】
2016220089.tif 000008
【図７】
2016220089.tif 000009
【図８】
2016220089.tif 000010
【図９】
2016220089.tif 000011
【図１０】
2016220089.tif 000012
【図１１】
2016220089.tif 000013